【手続補正書】
【提出日】平成15年8月27日(2003.8.27)
【手続補正１】
【補正対象書類名】明細書
【補正対象項目名】特許請求の範囲
【補正方法】変更
【補正の内容】
【特許請求の範囲】
【請求項１】
一対の基板が対向配置され、前記一対の基板のうち一方の基板側には反射層が形成されてなり、前記一対の基板の内面側に形成された電極間において複数のドットが構成され、当該複数のドットに対応して各々色が異なる複数のカラーフィルタが配置された反射型液晶装置であって、
各前記ドットの外周部分に対応する領域には、当該ドット内の領域に設けた前記カラーフィルタの光の吸収よりも小さい吸収を有するカラーフィルタが設けられていることを特徴とする反射型液晶装置。
【請求項２】
請求項１に記載の反射型液晶装置を備えたことを特徴とする電子機器。
【請求項３】
請求項２記載の電子機器であって、
前記反射型液晶装置が電子機器の本体に対し可動であることを特徴とする電子機器。
【手続補正２】
【補正対象書類名】明細書
【補正対象項目名】０００２
【補正方法】変更
【補正の内容】
【０００２】
【従来の技術】
携帯情報端末に搭載されるディスプレイは、まず第一に低消費電力である必要がある。従ってこの用途には、バックライトが不要な反射型液晶装置が最適である。しかしながら従来の反射型液晶装置はモノクロ表示が主流であって、未だ良好な反射型カラー表示が得られていない。


【手続補正３】
【補正対象書類名】明細書
【補正対象項目名】０００８
【補正方法】変更
【補正の内容】
【０００８】
【発明が解決しようとする課題】
本発明は、従来よりも明るく鮮やかな色が表示できる反射型液晶装置を提供し、またこれを利用した電子機器を提供することを目的とする。


【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】変更
【補正の内容】
【００２６】
【課題を解決するための手段】
本発明の反射型液晶装置は、一対の基板が対向配置され、前記一対の基板のうち一方の基板側には反射層が形成されてなり、前記一対の基板の内面側に形成された電極間において複数のドットが構成され、当該複数のドットに対応して各々色が異なる複数のカラーフィルタが配置された反射型液晶装置であって、各前記ドットの外周部分に対応する領域には、当該ドット内の領域に設けた前記カラーフィルタの光の吸収よりも小さい吸収を有するカラーフィルタが設けられていることを特徴とする。この構成は、要はドット外にブラックマスクやカラーフィルタの重なりを設けないことを意味している。またドット外に何も設けないのではなく、一部あるいは全部にカラーフィルタが設けられていることを意味している。このように構成することにより、反射型カラー液晶装置において、明るい表示が得られるという利点がある。これは、特に視差がある場合は表示の明るさが開口率のほぼ２乗に比例するためにブラックマスクを設けると非常に暗くなるためであり、逆にドット外に全くカラーフィルタを設けないとコントラストが著しく低下するためである。


【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】変更
【補正の内容】
【００３６】
また、本発明の電子機器は、表示部として上記反射型液晶装置を備えたことを特徴とする。このように構成することにより、本発明の反射型液晶装置を備えた電子機器は、低消費電力で、薄型軽量、かつ直射日光下でも視認性が良いという利点がある。


【手続補正３２】
【補正対象書類名】明細書
【補正対象項目名】００３７
【補正方法】変更
【補正の内容】
【００３７】
また、本発明の電子機器は、上述の電子機器において、周囲光を観察者に効率よく反射できるよう、表示部が本体に対し動かせるよう取り付けたことを特徴とする。このように構成することにより、どのような照明条件下であっても、明るい表示を得ることが出来るという利点がある。


【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４４
【補正方法】変更
【補正の内容】
【００４４】
（実施例１）
図１は本発明に係る反射型液晶装置の構造の要部を示す図である。まず構成を説明する。１０１は上側偏光板、１０２は対向基板、１０３は液晶、１０４は素子基板、１０５は光散乱板、１０６は偏光分離反射板であり、対向基板１０２上にはカラーフィルタ１０７と、対向電極（走査線）１０８を設け、素子基板１０４上には信号線１０９、画素電極１１０、ＭＩＭ素子１１１を設けた。ここで１０１と１０２、１０４と１０５、１０５と１０６は、離して描いてあるが、これは図を明解にするためであって、実際には糊で接着している。また対向基板１０２と素子基板１０４の間も広く離して描いてあるが、これも同様の理由からであって実際には数μｍから十数μｍ程度のギャップしかない。また、図１は反射型カラー液晶装置の要部を示しているため、３×３の９ドット分しか図示していないが、本実施例ではそれ以上のドット数を有し、４８０×６４０の３０７２００ドット又はそれ以上のドットを有する場合もある。


【手続補正３９】
【補正対象書類名】明細書
【補正対象項目名】００５２
【補正方法】変更
【補正の内容】
【００５２】
（実施例２）
図３は、本発明に係る反射型液晶装置の、カラーフィルタの分光特性を示す図である。実施例２の構成は、図１に示した実施例１の場合と同様であり、やはり赤とシアンの２色から成るカラーフィルタを備えている。図３の横軸は光の波長、縦軸は透過率であり、３０１が赤フィルタのスペクトル、３０２がシアンフィルタのスペクトルを示している。いずれの色のカラーフィルタも、４５０ｎｍから６６０ｎｍの波長範囲で、５０％以上の透過率を有している。また同じ波長範囲での平均透過率は、赤フィルタが７１％、シアンフィルタが７８％であった。


【手続補正４０】
【補正対象書類名】明細書
【補正対象項目名】００５５
【補正方法】変更
【補正の内容】
【００５５】
（実施例３）
図１は本発明に係る反射型液晶装置の構造の要部を示す図である。また図２はカラーフィルタの分光特性を示す図である。実施例３の構成は、基本的に実施例１記載の反射型液晶装置と同様であるから、各々の符号の説明を省略する。但し、液晶１０３のΔｎ×ｄを０．４２μｍに設定した。またドットピッチは縦横ともに１６０μｍとし、駆動面積率を７５％とした。


【手続補正４１】
【補正対象書類名】明細書
【補正対象項目名】００５９
【補正方法】変更
【補正の内容】
【００５９】
（実施例４）
図５は、本発明に係る反射型液晶装置の、カラーフィルタの分光特性を示す図である。実施例３の構成は、図１に示した実施例１の場合と同様であり、やはり赤とシアンの２色から成るカラーフィルタを備えている。図５の横軸は光の波長、縦軸は透過率であり、５０１が赤フィルタのスペクトル、５０２がシアンフィルタのスペクトルを示している。いずれの色のカラーフィルタも、４５０ｎｍから６６０ｎｍの波長範囲で、６０％以上の透過率を有している。また同じ波長範囲での平均透過率は、赤フィルタが７５％、シアンフィルタが８０％であった。


【手続補正４２】
【補正対象書類名】明細書
【補正対象項目名】００６２
【補正方法】変更
【補正の内容】
【００６２】
（実施例５）
図６は本発明に係る反射型液晶装置の構造の要部を示す図である。まず構成を説明する。６０１は偏光板、６０２は対向基板、６０３は液晶、６０４は素子基板、６０５は光散乱板、６０６は偏光分離反射板であり、対向基板６０２上にはカラーフィルタ６０７と、対向電極（走査線）６０８を設け、素子基板６０４上には信号線６０９、画素電極６１０、ＭＩＭ素子６１１を設けた。


【手続補正４３】
【補正対象書類名】明細書
【補正対象項目名】００６５
【補正方法】変更
【補正の内容】
【００６５】
（実施例６）
図７は、本発明に係る反射型液晶装置の、カラーフィルタの分光特性を示す図である。実施例２の構成は、図６に示した実施例５と同様であるが、赤とシアンの代わりに緑とマゼンタの２色から成るカラーフィルタを備えている。図７の横軸は光の波長、縦軸は透過率であり、７０１が緑フィルタのスペクトル、７０２がマゼンタフィルタのスペクトルを示している。いずれの色のカラーフィルタも、４５０ｎｍから６６０ｎｍの波長範囲で、５０％以上の透過率を有している。また同じ波長範囲での平均透過率は、緑フィルタが７６％、マゼンタフィルタが７８％であった。


【手続補正４４】
【補正対象書類名】明細書
【補正対象項目名】００６８
【補正方法】変更
【補正の内容】
【００６８】
（実施例７）
図８は本発明に係る反射型液晶装置の構造の要部を示す図である。まず構成を説明する。８０１は偏光板、８０２は対向基板、８０３は液晶、８０４は素子基板、８０５は光散乱板、８０６は偏光分離反射板であり、対向基板８０２上にはカラーフィルタ８０７と、対向電極（走査線）８０８を設け、素子基板８０４上には信号線８０９、画素電極８１０、ＭＩＭ素子８１１を設けた。上側偏光板上には照明光のぎらつきを抑える目的で弱いアンチグレア処理を施した。


【手続補正４５】
【補正対象書類名】明細書
【補正対象項目名】００７２
【補正方法】変更
【補正の内容】
【００７２】
（実施例８）
図１０は、本発明に係る反射型液晶装置の構造の要部を示す図である。まず構成を説明する。１００１は偏光板、１００２は素子基板、１００３は液晶、１００４は対向基板、１００５は光散乱板、１００６は偏光分離反射板であり、対向基板１００４上には対向電極（走査線）１０１１とカラーフィルタ１０１０を設け、素子基板１００２上には信号線１００７、ＭＩＭ素子１００８、画素電極１００９を設けた。カラーフィルタ１０１０は顔料分散タイプであって、赤（図中「Ｒ」で示した）、緑（図中「Ｃ」で示した）、青（図中「Ｂ」で示した）の３色から成っている。


【手続補正４６】
【補正対象書類名】明細書
【補正対象項目名】００７５
【補正方法】変更
【補正の内容】
【００７５】
（実施例９）
図１２は、本発明に係る反射型液晶装置の、カラーフィルタの分光特性を示す図である。実施例９の構成は、図８に示した実施例７の場合と同様であり、やはり赤、緑、青の３色から成るカラーフィルタを備えている。図１２の横軸は光の波長、縦軸は透過率であり、１２０１が赤フィルタのスペクトル、１２０２が緑フィルタのスペクトル、１２０３が青フィルタのスペクトルを示している。ここで緑フィルタだけは、４５０ｎｍから６６０ｎｍの波長範囲で、５０％以上の透過率を有している。また赤フィルタの４５０ｎｍから６６０ｎｍの範囲の波長の光に対する最小透過率は、青フィルタ、緑フィルタに比べてはっきりと小さい。このような赤フィルタを用いることにより、最も人間の目にアピールする赤色を鮮やかに表示することが出来る。また赤を濃くしたことを補償する目的で、青フィルタのスペクトル１２０３をシアン色に近くした。このため、明るく色付きが小さい白が表示できた。


【手続補正４７】
【補正対象書類名】明細書
【補正対象項目名】００７７
【補正方法】変更
【補正の内容】
【００７７】
（実施例１０）
図１０は本発明に係る反射型液晶装置の構造の要部を示す図である。構成を説明する。１００１は偏光板、１００２は素子基板、１００３は液晶、１００４は対向基板、１００５は光散乱板、１００６は偏光分離反射板であり、対向基板１００４上には対向電極（走査線）１０１１とカラーフィルタ１０１０を設け、素子基板１００２上には信号線１００７、ＭＩＭ素子１００８、画素電極１００９を設けた。カラーフィルタ１０１０は顔料分散タイプであって、赤（図中「Ｒ」で示した）、緑（図中「Ｃ」で示した）、青（図中「Ｂ」で示した）の３色から成っている。


【手続補正４８】
【補正対象書類名】明細書
【補正対象項目名】００８０
【補正方法】変更
【補正の内容】
【００８０】
（実施例１１）
図１５は本発明に係る反射型液晶装置の構造の要部を示す図である。まず構成を説明する。１５０１は偏光板、１５０２は素子基板、１５０３は液晶、１５０４は対向基板、１５０５は光散乱板、１５０６は偏光分離反射板であり、対向基板１５０４上には対向電極（走査線）１５１１とカラーフィルタ１５１０を設け、素子基板１５０２上には信号線１５０７、ＭＩＭ素子１５０８、画素電極１５０９を設けた。なお１ドット中で光変調可能な領域は、素子基板上の凹型形状のＩＴＯと、対向基板上の短冊形状のＩＴＯが重なる領域であって、対向基板のＩＴＯ上に破線でその輪郭を示した。（一部カラーフィルタと重なって見えないが、同様の輪郭を示した図２０を参照して欲しい。）
対向電極１５１１と画素電極１５０９は透明なＩＴＯで形成し、信号線１５０７は金属Ｔａで形成した。ＭＩＭ素子は絶縁膜Ｔａ２Ｏ５を金属Ｔａと金属Ｃｒで挟んだ構造である。液晶１５０３は９０度ねじれたネマチック液晶であり、液晶セルのΔｎ×ｄが１．３４μｍになるよう、液晶のΔｎとセルギャップｄを選択した。また上下の偏光板は、その吸収軸が隣接基板のラビング軸と平行になるように配置した。これは最も明るく着色の少ないＴＮモードの構成である。またカラーフィルタ１５１０は互いに補色の関係にある赤（図中「Ｒ」で示した）とシアン（図中「Ｃ」で示した）の２色から成っているが、光変調可能な領域の一部にのみ設けた。


【手続補正４９】
【補正対象書類名】明細書
【補正対象項目名】００８６
【補正方法】変更
【補正の内容】
【００８６】
（実施例１２）
実施例１２も、本発明に係る反射型液晶装置である。その構造は図１５に示した実施例１１の反射型液晶装置と同様であるが、カラーフィルタの特性が異なる。


【手続補正５０】
【補正対象書類名】明細書
【補正対象項目名】００９１
【補正方法】変更
【補正の内容】
【００９１】
（実施例１３）
図２０は本発明に係る反射型液晶装置の構造の要部を示す図である。構成を説明する。２００１は偏光板、２００２は素子基板、２００３は液晶、２００４は対向基板、２００５は光散乱板、２００６は偏光分離反射板であり、対向基板２００４上には対向電極（走査線）２０１１とカラーフィルタ２０１０を設け、素子基板２００２上には信号線２００７、ＭＩＭ素子２００８、画素電極２００９を設けた。また１ドット中で光変調可能な領域は、素子基板上の凹状のＩＴＯと、対向基板上の短冊状のＩＴＯが重なる領域であって、対向基板のＩＴＯ上に破線でその輪郭を示した。


【手続補正５１】
【補正対象書類名】明細書
【補正対象項目名】００９３
【補正方法】変更
【補正の内容】
【００９３】
（実施例１４）
図２１は本発明に係る反射型カラー液晶装置の構造の要部を示す図である。構成を説明する。２１０１は偏光板、２１０２は素子基板、２１０３は液晶、２１０４は対向基板、２１０５は光散乱板、２１０６は偏光分離反射板であり、対向基板２１０４上には対向電極（走査線）２１１２とカラーフィルタ２１１１を設け、素子基板２１０２上には信号線２１０７、ＭＩＭ素子２１０８、画素電極２１０９を設けた。


【手続補正５２】
【補正対象書類名】明細書
【補正対象項目名】００９６
【補正方法】変更
【補正の内容】
【００９６】
（実施例１５）
実施例５は、本発明に係る反射型液晶装置である。しかしながらその構造は、図１５に示した実施例１２の反射型液晶装置、図２０に示した実施例１３記載の反射型液晶装置、図２１に示した実施例１４記載の反射型カラー液晶装置と同様である。


【手続補正５３】
【補正対象書類名】明細書
【補正対象項目名】００９９
【補正方法】変更
【補正の内容】
【００９９】
（実施例１６）
図２３は、本発明に係る反射型液晶装置の、カラーフィルタ基板の構造を示す図である。（ａ）が正面図であり、（ｂ）が断面図である。まず、構成を説明する。（ａ）の破線で囲んだ長方形領域２３０４が１ドットを示す。２３０９はガラス基板、２３０１は赤フィルタ、２３０３は緑フィルタ、２３０２は青フィルタ、２３０５はドット間ギャップ、ハッチング領域２３０８はアクリル、２３０７は保護膜、２３０６はＩＴＯ透明電極である。


【手続補正５４】
【補正対象書類名】明細書
【補正対象項目名】０１０５
【補正方法】変更
【補正の内容】
【０１０５】
（実施例１７）
図２８は、本発明に係る反射型液晶装置の、カラーフィルタ基板の構造を示す図である。（ａ）が正面図であり、（ｂ）が断面図である。まず、構成を説明する。（ａ）の破線で囲んだ長方形領域２８０４が１ドットを示す。２８０８はガラス基板、２８０７はＩＴＯ電極、２８０１は赤カラーフィルタ、２８０３は緑カラーフィルタ、２８０２は青カラーフィルタ、ハッチング領域２８０６はアクリルである。


【手続補正５５】
【補正対象書類名】明細書
【補正対象項目名】０１１６
【補正方法】変更
【補正の内容】
【０１１６】
（実施例２１）
図３３は本発明に係る反射型液晶装置の構造の要部を示す図である。構成を説明する。３３０１は上側偏光板、３３０２は素子基板、３３０３は液晶、３３０４は対向基板、３３０５は光散乱板、３３０６は偏光分離反射板であり、対向基板３３０４上には対向電極（走査線）３３１１とカラーフィルタ３３１０を設け、素子基板３３０２上には信号線３３０７、ＭＩＭ素子３３０８、画素電極３３０９を設けた。


【手続補正５６】
【補正対象書類名】明細書
【補正対象項目名】０１２２
【補正方法】変更
【補正の内容】
【０１２２】
（実施例２２）
図３７は本発明に係る反射型液晶装置の構造の概略を示す図であり、（ａ）が正面図、（ｂ）が断面図である。構成を説明する。３７０１は枠ケース、３７０２は偏光板、３７０３は上側基板、３７０４のハッチング領域はカラーフィルタ、３７０５は下側基板、３７０６は光散乱板を貼りつけた偏光分離反射板である。図面が煩雑になるため、透明電極、非線形素子、信号線、配向膜等は省略した。また３７１１は駆動表示領域、３７１２は有効表示領域、３７１３はカラーフィルタを設けた領域である。（ｂ）は横の断面図であるが、縦の断面図も（ｂ）と同様である。なお「駆動表示領域」と「有効表示領域」という用語は、日本電子機械工業会規格（ＥＩＡＪ）のＥＤ−２５１１Ａにおいて、それぞれ「液晶表示デバイスで表示機能を保有する領域」「駆動表示領域とそれに続く画面として有効な領域」と定義されている。つまり駆動表示領域とは液晶に電圧をかけることができる領域であり、有効表示領域とは枠ケースに隠されない液晶パネル領域全てである。


【手続補正５７】
【補正対象書類名】明細書
【補正対象項目名】０１２４
【補正方法】変更
【補正の内容】
【０１２４】
（実施例２３）
透過型カラー液晶装置では、一般にドット外にブラックマスクを設けるが、反射型液晶装置にブラックマスクを設けると、高コントラストが得られる反面、表示が極端に暗くなる。特にＴＮモードやＳＴＮモードのように視差が避けられない液晶モードでは、光が入射するときと出射するときの２回ブラックマスクで吸収されるため、明るさが開口率のほぼ２乗に比例するという性質がある。従って反射型液晶装置にブラックマスクを設けることは出来ないが、逆にドット外に全く光吸収体を設けないと、コントラストが著しく低下し、好ましくない。そこで本発明では、ドット外にブラックマスクを設けず、代わりにドット内の領域と同程度かそれよりも小さい吸収を有するカラーフィルタを設けたことを特徴とする図３８は本発明に係る反射型液晶装置のカラーフィルタ配置を示す図である。基本的な構成ならびにカラーフィルタの分光特性は実施例５の図６ならびに図６と同様であるが、ドット外の領域におけるカラーフィルタの配置に工夫を凝らした。図３８において、３８０１に示した「横凸」状の領域は、対向電極と画素電極が重なっていて、液晶に電界が印加される領域であり、請求項１１のドットに相当する。また右上から左下に斜めにハッチングを施した領域３８０２はシアンフィルタであり、クロスにハッチングを施した領域３８０３は赤フィルタである。


【手続補正５８】
【補正対象書類名】明細書
【補正対象項目名】０１２６
【補正方法】変更
【補正の内容】
【０１２６】
（実施例２４）
図３９は本発明に係る反射型液晶装置のカラーフィルタ配置を示す図である。基本的な構成ならびにカラーフィルタの分光特性は実施例９の図８と図１２と同様であるが、ドット外の領域におけるカラーフィルタの配置に工夫を凝らした。図３９において、３９０１に示した「横凸」状の領域は、対向電極と画素電極が重なっていて、液晶に電界が印加される領域であり、請求項１１のドットに相当する。また左上から右下に斜めにハッチングを施した領域３９０２は青フィルタであり、右上から左下に斜めにハッチングを施した領域３９０３は緑フィルタであり、クロスにハッチングを施した領域３９０４は赤フィルタである。


【手続補正５９】
【補正対象書類名】明細書
【補正対象項目名】０１２８
【補正方法】変更
【補正の内容】
【０１２８】
（実施例２５）
図４０は本発明に係る反射型液晶装置の要部を示す図である。まず構成を説明する。４００１は上側偏光板、４００２は対向基板、４００３は液晶、４００４は素子基板、４００５は光散乱板、４００６は偏光分離反射板であり、対向基板４００２上にはカラーフィルタ４００７と、対向電極（走査線）４００８を設け、素子基板４００４上には信号線４００９、画素電極４０１０、ＭＩＭ素子４０１１を設けた。このカラーフィルタは、ＰＣ等のデータディスプレイで一般的なストライプ配列である。なおカラーフィルタの分光特性は実施例９の図１２と同様である。


【手続補正６０】
【補正対象書類名】明細書
【補正対象項目名】０１２９
【補正方法】変更
【補正の内容】
【０１２９】
図４１は本発明に係る反射型液晶装置のカラーフィルタ配置を示す図である。図４１において、４１０１に示した「横凸」状の領域は、対向電極と画素電極が重なっていて、液晶に電界が印加される領域であり、ドットに相当する。また左上から右下に斜めにハッチングを施した領域４１０２は青フィルタであり、右上から左下に斜めにハッチングを施した領域４１０３は緑フィルタであり、クロスにハッチングを施した領域４１０４は赤フィルタである。


【手続補正６１】
【補正対象書類名】明細書
【補正対象項目名】０１３４
【補正方法】変更
【補正の内容】
【０１３４】
（実施例２７）
実施例２７は本発明に係る反射型液晶装置であるが、その構造は実施例１の図１、実施例６の図６、実施例７の図８と同様である。その特徴は反射板側に位置する基板１０４、６０４、８０４上に、ＭＩＭ素子１１１、６１１、８１１を設けたことにある。このように配置することによって、その逆の構成、即ち基板１０２、６０２、８０２上にＭＩＭ素子を設けた場合に比べて、不要な表面反射が減り、高いコントラストが得られた。その理由は三つある。一つは信号線１０９、６０９、８０９とＭＩＭ素子による反射がカラーフィルタ１０７、６０７、８０７によって一部吸収されることであり、二つ目は信号線自体が金属Ｔａ上に金属Ｃｒを重ねた構造であり、ＴａよりもＣｒの方が反射率が小さいことである。三つ目は反射光が液晶層１０３、６０３、８０３を通ることによって複屈折干渉による吸収が生じることである。


【手続補正６２】
【補正対象書類名】明細書
【補正対象項目名】０１３５
【補正方法】変更
【補正の内容】
【０１３５】
（実施例２８）
実施例２８は本発明に係る反射型カラー液晶装置であるが、その全体の構造は、例えば実施例７の図８等と同様である。その特徴はＭＩＭ素子の配線方法にある。


【手続補正６３】
【補正対象書類名】明細書
【補正対象項目名】０１４０
【補正方法】変更
【補正の内容】
【０１４０】
（実施例２９）
図４５は本発明に係る反射型液晶装置の特性を示す。実施例２と同様の構成をとり、駆動面積率を５０％から１００％に変えた時の、駆動面積率とコントラスト、及び駆動面積率と反射率の関係を示している。ここで駆動面積率は、画素内の金属配線やＭＩＭ素子等の不透明な部分を除いた領域の中で、液晶が駆動される領域がしめる割合として定義される。横軸に駆動面積率、縦軸にコントラストと反射率をとり、４５０１は本実施例のコントラスト、４５０２は比較例のコントラスト、４５０３は本実施例のシアン表示時の反射率、４５０４は比較例のシアン表示時の反射率である。


【手続補正６４】
【補正対象書類名】明細書
【補正対象項目名】０１４２
【補正方法】変更
【補正の内容】
【０１４２】
（実施例３０）
反射型液晶装置においては、偏光分離反射板の特性が、明るさやコントラスト、視角特性を大きく左右する。偏光分離反射は鏡面反射特性をもつ。反射型液晶装置向けには、明るさとコントラストを重視して散乱性の弱いものが望ましいが、入射光の９５％よいも大きい光が３０度コーンの中に反射されるようだと、視角特性が著しく狭く実用に耐えない。従って、本発明においては、特定の散乱特性を持つ光散乱板を偏光分離反射板と液晶パネルとの間に設けている。図４６と図４７は、本発明に係る反射型液晶装置の偏光分離反射板と光散乱板とからなる層の特性を示す図である。図４６において、４６０４は偏光分離反射板に光散乱板を貼りつけた層、４６０１は散乱反射板表面に４５゜の角度で入射する光、４６０２はその正反射光、４６０３は正反射を中心にした３０度コーンである。また図４７の横軸は反射光の受光角、縦軸は相対反射強度である。実施例３０の反射板は、入射光の約９５％が、図４６の３０゜コーンの中に反射する特性を有する。これが８０％未満になると、通常の室内環境のもとで、１：１０以上のコントラスト比が得られなくなる。


【手続補正６５】
【補正対象書類名】明細書
【補正対象項目名】０１４７
【補正方法】変更
【補正の内容】
【０１４７】
（実施例３２）
実施例３２は、本発明に係る反射型液晶装置に関するものであるが、基本的な構成、およびカラーフィルタの分光特性は、実施例５の図６、図３と同様である。その特徴は、ＴＮモードのセル条件が反射型液晶装置用に最適化されていることにある。


【手続補正６６】
【補正対象書類名】明細書
【補正対象項目名】０１５０
【補正方法】変更
【補正の内容】
【０１５０】
（実施例３３）
実施例３３は、本発明に係る反射型液晶装置に関するものであるが、基本的な構成は実施例２の図１と同様である。その特徴は、ＴＮモードのセル条件が反射型液晶装置用にさらに最適化されていることにある。


【手続補正６７】
【補正対象書類名】明細書
【補正対象項目名】０１５８
【補正方法】変更
【補正の内容】
【０１５８】
（実施例３４）
図５２は本発明に係る反射型液晶装置の要部を示す図である。まず構成を説明する。５２０１は上側偏光板、５２０２は位相差フィルム、５２０３は上側基板、５２０４は液晶、５２０５は下側基板、５２０６は光散乱板、５２０７は偏光分離反射板であり、上側基板５２０３上にはカラーフィルタ５２０８と、走査電極５２０９を設け、下側基板５２０５上には信号電極５２１０を設けた。位相差フィルム５２０２はポリカーボネートの一軸延伸フィルムで、正の位相差を示す。またカラーフィルタは、実施例２の図３と同様の分光特性を有している。


【手続補正６８】
【補正対象書類名】明細書
【補正対象項目名】０１６１
【補正方法】変更
【補正の内容】
【０１６１】
（実施例３５）
図５５は本発明に係る反射型液晶装置の構造の要部を示す図である。まず構成を説明する。５５０１は偏光板、５５０２は位相差フィルム、５５０３は上側基板、５５０４は液晶、５５０５は下側基板、５５０６は光散乱、５５０７は偏光分離反射板であり、上側基板５５０３上にはカラーフィルタ５５０８と、走査電極５５０９を設け、下側基板５５０５上には信号電極５５１０を設けた。位相差フィルム５５０２はポリカーボネートの一軸延伸フィルムで、正の５８７ｎｍの位相差を有する。液晶のΔｎとセルギャップの積Δｎ×ｄは０．８５μｍである。


【手続補正６９】
【補正対象書類名】明細書
【補正対象項目名】０１６９
【補正方法】変更
【補正の内容】
【０１６９】
上記実施例ではＭＩＭ素子を用いたが、その代わりにＴＦＴ素子を用いることもできる。図５８は本発明に係る反射型カラー液晶装置をＴＦＴ素子を用いて作成した場合の構造の要部を示す図である。まず構成を説明する。５８０１は上側偏光板、５８０２は対向基板、５８０３は液晶、５８０４は素子基板であり、対向基板５８０２上にはカラーフィルタ５８０５と、対向電極（共通電極）５８０６を設け、素子基板５８０４上にはゲート信号線５８０７、ソース信号線５８０８、ＴＦＴ素子５８０９、散乱反射板を兼ねた画素電極５８１０を設けた。ＭＩＭ素子の場合は金属配線が上下方向に走るだけであったが、ＴＦＴ素子では上下方向と左右方向に金属配線が走るため、開口率が低下する。幸いこの実施例３７では下側偏光板を必要としない。そこでＴＦＴ素子を利用する場合には、素子、信号線のレイヤー上に絶縁膜を設け、その上に改めて画素電極を兼ねる反射板を設け、コンタクトホールを通して両者を接続する手法を取ることが好ましい。


【手続補正７０】
【補正対象書類名】明細書
【補正対象項目名】０２０４
【補正方法】変更
【補正の内容】
【０２０４】
図６９は本発明に係る反射型カラー液晶装置の要部を示した図である。６９０１は散乱板、６９０２は上側偏光板、６９０３は位相差板、６９０４は上側基板、６９０５は液晶、６９０６は下側基板、６９０７は対向電極（走査線）、６９０８は信号線、６９０９は画素電極兼鏡面反射板、６９１０はＭＩＭ素子、６９１１はカラーフィルタである。画素と画素の間隔を信号線に直交、平行の両方向共に１６０μｍとし、信号線の幅を１０μｍ、信号線と画素電極の間隙を１０μｍ、隣り合う画素電極と画素電極の間隔を１０μｍとした。


【手続補正７１】
【補正対象書類名】明細書
【補正対象項目名】０２２８
【補正方法】変更
【補正の内容】
【０２２８】
図５９は本発明に係る反射型液晶装置Ｎｏ．１、Ｎｏ．２の断面図である。まず構成を説明する。５９０１は散乱板、５９０２は上側偏光板、５９０３は上側基板、５９０４は上側電極、５９０５は液晶、５９０６は下側電極、５９０７は下側基板、５９０８は下側偏光板、５９０９は鏡面反射板である。液晶５９０５はセル内で９０度にねじっており、Ｎｏ．１は偏光板５９０２、５９０８の吸収軸が近接する界面の液晶５９０５の遅相軸に一致、Ｎｏ．２は偏光板５９０２の吸収軸、５９０８の吸収軸がそれぞれ近接する界面の液晶５９０５の遅相軸に一致するＴＮモードである。液晶５９０５の厚さｄと複屈折率Δｎの積Δｎ×ｄは０．４８μｍである。


【手続補正７２】
【補正対象書類名】明細書
【補正対象項目名】０２３０
【補正方法】変更
【補正の内容】
【０２３０】
図７３は本発明に係る反射型液晶装置の電圧透過率特性を示す図である。ここで７３０１はＮｏ．１の電圧に対する透過率の変化の様子であり、７３０２はＮｏ．２の電圧に対する透過率の変化の様子である。Ｎｏ．１はノーマリーホワイト、Ｎｏ．２はノーマリーブラックの表示である。


【手続補正７３】
【補正対象書類名】明細書
【補正対象項目名】０２３５
【補正方法】変更
【補正の内容】
【０２３５】
実施例４０は本発明に係る反射型液晶装置であり、１ドットで１画素を構成することを特徴とする。画素とは表示に必要な機能を実現できる最小単位のことであり、通常のカラー液晶装置では、１画素は赤緑青各１ドット計３ドットで構成される。従って４８０×６４０画素のＶＧＡの表示を行うためには、４８０×６４０×３ドットが必要であった。シアンと赤の２色カラーフィルタを用いる場合には、４８０×６４０×２ドットが必要であった。しかしながら実施例４０は、カラー液晶装置でありながら４８０×６４０画素でＶＧＡ表示を行うことができる。


【手続補正７４】
【補正対象書類名】明細書
【補正対象項目名】０２３９
【補正方法】変更
【補正の内容】
【０２３９】
図７５は、本発明に係る電子機器の一例を示す図である。これはいわゆるＰＤＡ（Ｐｅｒｓｏｎａｌ  Ｄｉｇｉｔａｌ  Ａｓｓｉｓｔａｎｔ）であって、携帯情報端末の一種である。７５０１は反射型液晶装置であり、その前面にはペン入力のためのタブレットを装着した。ＰＤＡ用のディスプレイには、従来反射型モノクロ液晶装置、あるいは透過型液晶装置が利用されていた。これらを反射型カラー液晶装置で置き換えることによって、前者に比べるとカラー表示による情報量の飛躍的増大というメリットが、また後者に比べるとに電池寿命の長期化と小型軽量化というメリットがあった。


【手続補正７５】
【補正対象書類名】明細書
【補正対象項目名】０２４０
【補正方法】変更
【補正の内容】
【０２４０】
図７６は、本発明に係る電子機器の一例を示す図である。これはいわゆるデジタルスチルカメラである。７６０１は反射型液晶装置であって、本体に対してその角度が変えられるように取り付けてある。また図示されていないが、レンズはこの反射型カラー液晶装置取り付け部の裏側にある。デジタルスチルカメラ用のディスプレイには、従来透過型カラー液晶装置が利用されていた。これを反射型カラー液晶装置に置き換えることによって、電池寿命の長期化と小型化はもちろんのこと、直射日光下での視認性が格段に向上した。なぜならば、透過型カラー液晶装置はバックライトの明るさが限られているため直射日光下で表面反射が大きくなると見えにくくなるが、反射型カラー液晶装置は周囲光が明るくなるほど表示も明るくなるからである。この周囲光を有効に利用するためにも、液晶装置の角度が変えられるように取り付けることが有効である。